(57)【特許請求の範囲】
【請求項１】
第１巻線と第２巻線とを備える変圧器と、前記第１巻線に接続されたスイッチングトランジスタと、前記スイッチングトランジスタのベースとエミッタとの間に接続された抵抗と、スイッチモード電源の通常動作の前の時間中に前記スイッチングトランジスタのベースに接続されたキャパシタを充電する電流供給手段とを有するスイッチモード電源の保護回路であって、
前記スイッチングトランジスタのベースとエミッタとの間に前記抵抗に直列に接続されたダイオードを有し、
前記キャパシタの放電を低減することを特徴とするスイッチモード電源の保護回路。
【請求項２】
前記ダイオードは、ショットキー形ダイオードであることを特徴とする請求項１記載の保護回路。
【発明の詳細な説明】
【０００１】
【発明の属する技術分野】
本発明はスイッチモード電源（ＳＭＰＳ）の保護回路に関する。
【０００２】
【従来の技術】
電気又は電子装置に所定の電圧を供給するためスイッチモード電源を使用することは、一般的に周知である。上記電源には、一般的にトランジスタによって実現され、２次巻線が電気装置のための所望の電圧を発生する変圧器の１次巻線に接続されたスイッチが含まれている。
【０００３】
スイッチモード電源のスタートアップの段階において、例えば、電気装置の主スイッチがスイッチオンされた直後に、スイッチモード電源の出力電圧は低下する可能性があるので、２次巻線に得られる電流は、時間内に完全には放電されない。そのため、２次巻線の残りの電流は、１次巻線内の電流が増加するような影響を１次巻線に与える。かかる電流の増加は、電流が制限されていない場合、結果的にスイッチングトランジスタを破壊する。
【０００４】
【発明が解決しようとする課題】
従って、本発明の目的は、スイッチモード電源のスイッチングトランジスタを変圧器の１次巻線の誘導電流から保護する回路を提供することである。
【０００５】
【課題を解決するための手段】
上記本発明の目的は、第１巻線と第２巻線とを備える変圧器と、前記第１巻線に接続されたスイッチングトランジスタと、前記スイッチングトランジスタのベースとエミッタとの間に接続された抵抗と、スイッチモード電源の通常動作の前の時間中に前記スイッチングトランジスタのベースに接続されたキャパシタを充電する電流供給手段とを有するスイッチモード電源の保護回路であって、前記スイッチングトランジスタのベースとエミッタとの間に前記抵抗に直列に接続されたダイオードを有し、前記キャパシタの放電を低減することを特徴とする請求項１に記載のスイッチモード電源の保護回路によって達成される。
【０００６】
本発明の保護回路の有利な実施例は従属項に記載されている。
本発明の基本的な考えは、スイッチモード電源のスイッチングトランジスタは、トランジスタの蓄積時間を短縮することによって、誘導電流から保護される点である。トランジスタの蓄積時間が短縮されたとき、電流増加現象は低減される。
【０００７】
本発明によれば、スイッチングトランジスタのエミッタとベースの間にトランジスタの蓄積時間を短縮する手段が設けられている。
好ましい実施例によれば、上記手段は、抵抗及びダイオードとして実現される。かかる実施例は実現が容易である利点がある。
ショットキーダイードを使用することには、かかるダイオードが低い順方向電圧のダイードであるという利点がある。
【０００８】
【発明の実施の形態】
以下、添付図面を参照して本発明の実施例により本発明の他の詳細及び利点を説明する。
図１には、本発明の好ましい一実施例の保護回路が示されている。以下の説明では、使用された手段の好ましい値及びタイプを括弧付きで示す。しかし、本発明は、以下の使用された手段のタイプには限定されないことに注意が必要である。
【０００９】
第１の制御トランジスタ１０は、エミッタが第２の制御トランジスタ１１のベースに接続されている。上記トランジスタは、集積回路１２（ＴＥＡ２２６１）の一部分でも構わない。トランジスタ１０、１１の共通の接続は、第１の抵抗１３（３９Ω）の第１の端子に接続され、第１の抵抗の第２の端子は、ツェナーダイオード１４（２．７Ｖ，１．３Ｗ）のカソードに接続されている。インダクタンス１５（２．７μＨ）の第１の端子は、抵抗１３の第１の端子に接続され、インダクタンス１５の第２の端子は、抵抗１３の第２の端子に接続されている。更に、部品１３、１５の第２の端子は、キャパシタ１６（４７０μＦ）の第１の端子に接続されている。キャパシタ１６の第２の端子と、ダイオード１４のアノードは、トランジスタ１７（Ｓ２０００ＡＦ）のベース及び第２のダイオード１８（ＢＡＴ８５）のアノードに接続されている。ダイオード１８のカソードは、第２の抵抗１９（４７Ω）の第１の端子に接続され、第２の抵抗１９の第２の端子は、トランジスタ１７のエミッタ及び第３の抵抗２０（０．１５Ω；２Ｗ）に接続され、第３の抵抗２０は接地されている。トランジスタ１７のコレクタは、変圧器２１の１次巻線と接続されている。１次巻線の第２の端子は、主電源から直接整流された直流電圧Ｂ＋に接続されている。
【００１０】
変圧器２１の２次巻線は、図示されていない更なる段に給電するための整流器２２とキャパシタ２３のような周知の手段に接続されている。
ブロック２４には、ある種の動作モード中に直流電流（ＤＣ）電圧を供給する別の段が示されている。
以下、スイッチモード電源の一部分である図１の実施例の機能を説明する。
【００１１】
キャパシタ１６の両端の電圧は、トランジスタ１７の蓄積時間を定める。即ち、キャパシタ１６の両端の電圧が高くなるにつれて、蓄積時間は短くなることを意味する。キャパシタ１６の両端の電圧は、トランジスタ１７のベースがエミッタに直接接続された条件下で、最大でＶｃｅｓのコレクタ／エミッタ降伏電圧をトランジスタ１７に発生させることを保証するため負の電圧を供給する。これは、スイッチモード電源が動作しているとき、スイッチングオフの推移の間に有効である。ここで、スイッチモード電源が動作しているとは、図示しないスイッチモード電源の変圧器の１次巻線上にエネルギーを蓄積するため、トランジスタがスイッチオン及びスイッチオフするスイッチとして作動する場合を意味する。
【００１２】
制御トランジスタ１０、１１が第１の駆動パルスを発生し始める前に、キャパシタ１６は、上記の手段２４によって充電される。キャパシタ１６を充電するための電流経路は：
手段２４−インダクタンス１５−キャパシタ１６−ダイード１８−抵抗１９−抵抗２０−接地
によって表わされる。
【００１３】
ダイオード１８は、抵抗１９と直列に挿入され、キャパシタ１６の電荷が放電なく保持されることを保証する。従って、最初の僅かの駆動パルスの間で、ターンオン時間は最小限に抑えられることを保証し得る。
好ましい実施例において、ＴＥＡ２２６１形の集積回路１２を使用することにより、スタートアップ動作に三つの段階が存在する。
【００１４】
段階１において、制御トランジスタ１０、１１は、完全にスイッチオフされている。即ち、屡々、シンクトランジスタと呼ばれるトランジスタ１１は、オフ状態である。このため、手段２４によって供給された電流は、キャパシタ１６を充電することが可能である。
段階１の後の段階２において、トランジスタ１１はスイッチオンされる。段階２の間に、発振器のようなスイッチモード電源の他の手段（図示しない）がスイッチオンされることに注意する必要がある。キャパシタ１６への充電電流は止められる。ダイオード１８が存在するため、抵抗１９を通るキャパシタ１６の放電は、低減され、或いは、場合によっては殆ど回避される。ダイオード１８がない場合には、キャパシタ１６のより多量の放電が生じるので、手段２４によって整えられた先行充電の効率は悪くなる。
【００１５】
段階３において、集積回路１２はソフトスタート駆動を開始する。この時間中、トランジスタ１７のベースを同時に駆動する電流によってキャパシタ１６を充電することができる。しかし、ターンオン時間は非常に短いので、キャパシタ１６が手段２４による先行充電が無い場合、キャパシタ１６を充電するため数百サイクルの駆動パルスが必要とされる。
【００１６】
段階３の最初に先行充電がない場合、トランジスタ１７は、最初の数サイクル中の電流上昇現象によって破壊される可能性がある。しかし、ダイオード１８の存在によって、段階１及び２の間で放電は最小限に抑えられ、或いは、殆ど回避することさえ可能であるので、キャパシタ１６の十分な充電が行われ、これは、トランジスタ１７の蓄積時間が臨界値を下回ることを意味する。
【００１７】
上記本発明の好ましい実施例において、ショットキーダイオード（ＢＡＴ８５）が使用されていることに注意が必要である。かかるダイオードによれば、低い順方向電圧が得られる利点がある。従って、トランジスタ１７が充電段階１の間にターンオンされるのを防止することが可能である。
【図面の簡単な説明】
【図１】本発明の実施例の保護回路の構成図である。
【符号の説明】
１０    第１の制御トランジスタ
１１    第２の制御トランジスタ
１２    集積回路
１３，１９，２０    抵抗
１４    ツェナーダイオード
１５    インダクタンス
１６，２３    キャパシタ
１７    トランジスタ
１８    第２のダイオード
２１    変圧器
２２    整流器
２４    直流電流電圧供給段
【図１】
0003634062.tif 000002